(57)【特許請求の範囲】
【請求項１】
ラックに着脱可能な棚ユニットであって、
棚部と、
前記棚部の一端に、前記棚部に対して回転可能に固定され、前記ラックの第１の面側に固定される第１固定部材と、
前記棚部の他端に、前記棚部に対して回転可能に固定され、前記ラックの前記第１の面に対向する第２の面側に固定される第２固定部材と
を備え、
前記棚部は、複数の支持部材を有し、
前記第１固定部材及び前記第２固定部材のそれぞれは、前記複数の支持部材のそれぞれに対して回転可能に固定されている、棚ユニット。
【請求項２】
前記棚部は、第１支持部材及び第２支持部材を有し、
前記第１固定部材及び前記第２固定部材を前記第１支持部材及び前記第２支持部材のそれぞれに対して回転させることによって、前記第１支持部材と前記第２支持部材とが接触する状態と、前記第１支持部材と前記第２支持部材とが離間する状態とが切り替わる、請求項１に記載の棚ユニット。
【請求項３】
前記棚部は、前記一端と前記他端とを結ぶ方向に伸縮可能であり、
前記第１固定部材及び前記第２固定部材は、前記棚部の伸縮方向と垂直な方向に伸縮可能である、請求項１又は２に記載の棚ユニット。
【請求項４】
前記第１固定部材は、前記ラックの前記第１の面側の第１の支柱に固定される第１固定部位と、前記ラックの前記第１の面側の第２の支柱に固定される第２固定部位とを有し、
前記第１固定部位及び前記第２固定部位は、前記第１固定部材に対して移動可能である、請求項１から３のいずれか一項に記載の棚ユニット。
【請求項５】
前記棚部は、物体を支持する支持面に沿った前記物体の移動を補助する補助具を有する、請求項１から４のいずれか一項に記載の棚ユニット。
【請求項６】
ラックに着脱可能な棚ユニットであって、
棚部と、
前記棚部の一端に、前記棚部に対して回転可能に固定され、前記ラックの第１の面側に固定される第１固定部材と、
前記棚部の他端に、前記棚部に対して回転可能に固定され、前記ラックの前記第１の面に対向する第２の面側に固定される第２固定部材と
を備え、
前記棚部は、前記一端と前記他端とを結ぶ方向に伸縮可能であり、
前記第１固定部材及び前記第２固定部材は、前記棚部の伸縮方向と垂直な方向に伸縮可能である、棚ユニット。
【請求項７】
前記第１固定部材は、前記棚部が伸長する方向に突出し、前記ラックの前記第１の面側に設けられた孔に挿入される突起を有する、請求項６に記載の棚ユニット。
【請求項８】
ラックに着脱可能な棚ユニットであって、
棚部と、
前記棚部の一端に、前記棚部に対して回転可能に固定され、前記ラックの第１の面側に固定される第１固定部材と、
前記棚部の他端に、前記棚部に対して回転可能に固定され、前記ラックの前記第１の面に対向する第２の面側に固定される第２固定部材と
を備え
前記第１固定部材は、前記ラックの前記第１の面側の第１の支柱に固定される第１固定部位と、前記ラックの前記第１の面側の第２の支柱に固定される第２固定部位とを有し、
前記第１固定部位及び前記第２固定部位は、前記第１固定部材に対して移動可能である、棚ユニット。
【請求項９】
ラックに着脱可能な棚ユニットであって、
棚部と、
前記棚部の一端に、前記棚部に対して回転可能に固定され、前記ラックの第１の面側に固定される第１固定部材と、
前記棚部の他端に、前記棚部に対して回転可能に固定され、前記ラックの前記第１の面に対向する第２の面側に固定される第２固定部材と
を備え
前記棚部は、物体を支持する支持面に沿った前記物体の移動を補助する補助具を有する、棚ユニット。
【請求項１０】
伸縮可能な棚部と、前記棚部の一端に前記棚部に対して回転可能に固定された第１固定部材と、前記棚部の他端に前記棚部に対して回転可能に固定された第２固定部材とを有し、前記第１固定部材及び前記第２固定部材を前記棚部に対して回転することによって収納状態と使用状態とが切り替わる棚ユニットを、前記収納状態で、ラックの内部空間に配置する段階と、
前記ラックの内部空間において、前記棚ユニットを使用状態に切り替える段階と、
前記棚部を伸長させて、前記第１固定部材を、前記ラックの第１の支柱及び第２の支柱に固定し、前記第２固定部材を前記ラックの第３の支柱及び第４の支柱に固定する段階と
を備える方法。
【発明の詳細な説明】
【技術分野】
【０００１】
本発明は、棚ユニット及び方法に関する。
【背景技術】
【０００２】
通信機器を取り付け可能なラックが知られていた（例えば、特許文献１参照）。
［先行技術文献］
［特許文献］
［特許文献１］特開２０１４−１９７０４３号公報
【発明の概要】
【発明が解決しようとする課題】
【０００３】
ラックの任意の段に棚を追加したり、例えばラックから通信機器を取り外す際に通信機器を支持できる棚を一時的に追加したりすることを容易に行えることが望ましい。
【課題を解決するための手段】
【０００４】
本発明の第１の態様によれば、ラックに着脱可能な棚ユニットであって、棚部と、棚部の一端に、棚部に対して回転可能に固定され、ラックの第１の面側に固定される第１固定部材と、棚部の他端に、棚部に対して回転可能に固定され、ラックの第１の面に対向する第２の面側に固定される第２固定部材とを備える、棚ユニットが提供される。
【０００５】
上記棚ユニットにおいて、棚部は、複数の支持部材を有してよく、第１固定部材及び第２固定部材のそれぞれは、複数の支持部材のそれぞれに対して回転可能に固定されていてよい。上記棚ユニットにおいて、棚部は、第１支持部材及び第２支持部材を有してよく、第１固定部材及び第２固定部材を第１支持部材及び第２支持部材のそれぞれに対して回転させることによって、第１支持部材と第２支持部材とが接触する状態と、第１支持部材と第２支持部材とが離間する状態とが切り替わってよい。上記棚ユニットにおいて、棚部は、一端と他端とを結ぶ方向に伸縮可能であってよい。上記棚ユニットにおいて、第１固定部材及び第２固定部材は、棚部の伸縮方向と垂直な方向に伸縮可能であってよい。
【０００６】
上記棚ユニットにおいて、第１固定部材は、棚部が伸長する方向に突出し、ラックの第１の面側に設けられた孔に挿入される突起を有してよい。上記棚ユニットにおいて、第１固定部材は、ラックの第１の面側の第１の支柱に固定される第１固定部位と、ラックの第１の面側の第２の支柱に固定される第２固定部位とを有してよく、第１固定部位及び第２固定部位は、第１固定部材に対して移動可能であってよい。上記棚ユニットにおいて、棚部は、物体を搭載する搭載面に沿った物体の移動を補助する補助具を有してよい。
【０００７】
本発明の第２の態様によれば、伸縮可能な棚部と、棚部の一端に棚部に対して回転可能に固定された第１固定部材と、棚部の他端に棚部に対して回転可能に固定された第２固定部材とを有し、第１固定部材及び第２固定部材を棚部に対して回転することによって収納状態と使用状態とが切り替わる棚ユニットを、収納状態で、ラックの内部空間に配置する段階と、ラックの内部空間において、棚ユニットを使用状態に切り替える段階と、棚部を伸長させて、第１固定部材を、ラックの第１の支柱及び第２の支柱に固定し、第２固定部材をラックの第３の支柱及び第４の支柱に固定する段階とを備える方法が提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】棚ユニットの一例を概略的に示す。
【図２】棚ユニットの状態の一例を概略的に示す。
【図３】棚ユニット及びラックの一例を概略的に示す。
【図４】ラックに棚ユニットを取り付けられた一例を概略的に示す。
【図５】棚ユニットの一例を概略的に示す。
【図６】棚ユニットの一例を概略的に示す。
【図７】棚ユニットの一例を概略的に示す。
【図８】固定部位の一例を概略的に示す。
【図９】固定部位の一例を概略的に示す。
【図１０】棚ユニットの一例を概略的に示す。
【図１１】棚ユニットの一例を概略的に示す。
【図１２】棚ユニットの一例を概略的に示す。
【図１３】ラックへの棚ユニットの着脱の流れの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、棚ユニット１００の一例を概略的に示す。本実施形態に係る棚ユニット１００は、任意の物体を収容可能なラックに取り付けられることによって棚を構成する。ラックに取り付けられた棚ユニット１００は、任意の物体を支持してよい。例えば、棚ユニット１００は、棚板を支持する。また、例えば、ラックは通信機器等を収容可能な１９インチラックであり、１９インチラックに取り付けられた棚ユニット１００は、通信機器を支持する。
【００１２】
従来、１９インチラックに収容された通信機器を交換する場合、交換作業を行う作業者は、例えば一方の手で通信機器を支持し、他方の手で通信機器のネジ止めを解除することにより、通信機器を取り外していた。これに対して、本実施形態に係る棚ユニット１００は、ラックにおける通信機器の直下に取り付けられることによって、取り外された通信機器を支持することができ、通信機器の交換作業の安全性を高めることができる。
【００１３】
棚ユニット１００は、棚部２００、固定部材３１０及び固定部材３５０を備える。棚部２００は、通信機器等の物体を支持する。棚部２００は、１以上の支持部材を有する。図１では、棚部２００が支持部材２１０及び支持部材２２０を有する場合を例示している。支持部材２１０は第１支持部材の一例であってよく、支持部材２２０は第２支持部材の一例であってよい。
【００１４】
固定部材３１０は、棚部２００の一端に、棚部２００に対して回転可能に固定される。図１では、固定部材３１０が、支持部材２１０の一端の連結部２１２によって支持部材２１０に対して回転可能に固定され、支持部材２２０の一端の連結部２２２によって支持部材２２０に対して回転可能に固定されている場合を例示している。連結部２１２及び連結部２２２は、固定部材３１０を回転可能に固定できれば、どのような構造を有してもよい。
【００１５】
固定部材３１０は、固定部位３２０及び固定部位３３０を有する。固定部材３１０は、固定部位３２０及び固定部位３３０を介してラックに固定されてよい。固定部位３２０は孔３２１を有する。固定部位３３０は孔３３１を有する。ラックに形成された複数の孔のそれぞれと、孔３２１及び孔３３１のそれぞれとが例えばネジ止めされることによって、固定部材３１０がラックに固定されてよい。固定部材３１０は、第１固定部材の一例であってよい。固定部位３２０は第１固定部位の一例であってよい。固定部位３３０は第２固定部位の一例であってよい。
【００１６】
固定部材３５０は、棚部２００の他端に、棚部２００に対して回転可能に固定される。図１では、固定部材３５０が、支持部材２１０の他端の連結部２１４によって支持部材２１０に対して回転可能に固定され、支持部材２２０の他端の連結部２２４によって支持部材２２０に対して回転可能に固定されている場合を例示している。連結部２１４及び連結部２２４は、固定部材３５０を回転可能に固定できれば、どのような構造を有してもよい。
【００１７】
固定部材３５０は、固定部位３６０及び固定部位３７０を有する。固定部材３５０は、固定部位３６０及び固定部位３７０を介してラックに固定されてよい。固定部位３６０は孔３６１を有する。固定部位３７０は孔３７１を有する。ラックに形成された複数の孔のそれぞれと、孔３６１及び孔３７１のそれぞれとが例えばネジ止めされることによって、固定部材３５０がラックに固定されてよい。固定部材３５０は、第２固定部材の一例であってよい。
【００１８】
支持部材２１０は、スライド部２１６を有する。支持部材２１０は、スライド部２１６によって、支持部材２１０の一端と他端とを結ぶ方向に伸縮可能である。なお、支持部材２１０が支持部材２１０の一端と他端とを結ぶ方向に伸縮可能であれば、スライド部２１６はどのような構造を有してもよい。
【００１９】
支持部材２２０は、スライド部２２６を有する。支持部材２２０は、スライド部２２６によって、支持部材２２０の一端と他端とを結ぶ方向に伸縮可能である。なお、支持部材２２０が支持部材２２０の一端と他端とを結ぶ方向に伸縮可能であれば、スライド部２２６はどのような構造を有してもよい。
【００２０】
固定部材３１０及び固定部材３５０が支持部材２１０及び支持部材２２０のそれぞれに対して回転されることによって、棚ユニット１００の状態が切り替わる。例えば、固定部材３１０及び固定部材３５０が支持部材２１０及び支持部材２２０のそれぞれに対して回転されることによって、支持部材２１０と支持部材２２０とが接触する状態と、支持部材２１０と支持部材２２０とが離間する状態とが切り替わる。
【００２１】
固定部材３１０及び固定部材３５０と、支持部材２１０及び支持部材２２０とがそれぞれ垂直になった状態を使用状態と呼ぶ場合がある。また、支持部材２１０と支持部材２２０とが接触する状態を収納状態と呼ぶ場合がある。使用状態における支持部材２１０と支持部材２２０との距離よりも、支持部材２１０と支持部材２２０とが近接する状態を収納状態と呼んでもよい。
【００２２】
図２は、棚ユニット１００の状態の一例を概略的に示す。図２は、固定部材３１０及び固定部材３５０が支持部材２１０及び支持部材２２０のそれぞれに対して回転されることにより、支持部材２１０と支持部材２２０とが接触した状態を例示する。棚ユニット１００を図２に示す状態にすることによって、棚ユニット１００の持ち運びを容易にできるとともに、棚ユニット１００のラックへの取り付けを容易にすることができる。
【００２３】
図３は、棚ユニット１００及びラック４００の一例を概略的に示す。ラック４００は、前面側に支柱４１０及び支柱４２０を備え、背面側に支柱４３０及び支柱４４０を備える。支柱４１０は複数の孔４１２を有し、支柱４２０は複数の孔４２２を有し、支柱４３０は複数の孔４３２を有し、支柱４４０は複数の孔４４２を有する。
【００２４】
ラック４００の前面側は第１の面側の一例であってよく、支柱４１０は第１の支柱の一例であってよく、支柱４２０は第２の支柱の一例であってよい。また、ラック４００の背面側は第２の面側の一例であってよく、支柱４３０は第３の支柱の一例であってよく、支柱４４０は第４の支柱の一例であってよい。
【００２５】
棚ユニット１００は、例えば、図３に示すように、収納状態でラック４００の内部空間に移動される。ラック４００の内部空間とは、支柱４１０、支柱４２０、支柱４３０及び支柱４４０によって囲まれた空間である。棚ユニット１００は、ラック４００の内部空間に配置された後、使用状態に切り替えられてよい。
【００２６】
図４は、ラック４００に棚ユニット１００を取り付けられた一例を概略的に示す。例えば、収納状態でラック４００の内部空間に配置された棚ユニット１００は、まず、使用状態に切り替えられる。次に、固定部材３５０の固定部位３６０及び固定部位３７０のそれぞれが、孔４３２及び孔４４２のそれぞれに固定される。そして、支持部材２１０及び支持部材２２０が、スライド部２１６及びスライド部２２６によって伸長されて、固定部材３１０が支柱４１０及び支柱４２０に当接した後、固定部材３１０の固定部位３２０及び固定部位３３０のそれぞれが、孔４１２及び孔４２２のそれぞれに固定される。
【００２７】
ここで、例えば、ラック４００における棚ユニット１００を取り付ける位置の上下に通信機器が取り付けられていた場合、棚ユニット１００を使用状態のままラック４００の内部空間に移動させることは困難である。しかし、本実施形態に係る棚ユニット１００によれば、棚ユニット１００の状態を切り換えることによってコンパクトにできるので、棚ユニット１００の取り付け位置の上下に通信機器が取り付けられていた場合であっても、棚ユニット１００をラック４００の内部空間に容易に移動させることができる。
【００２８】
なお、固定部材３１０及び固定部材３５０は、１Ｕ（１．７５インチ＝４４．４５ｍｍ）の高さを有してよい。これにより、１９インチラックに対する整合性を高めることができる。また、固定部材３１０及び固定部材３５０が１Ｕの高さを有することにより、例えば、直上に取り付けられた通信機器と棚部２００との距離を最小にすることができ、直上に取り付けられた通信機器を取り外したときの落下距離を短くすることができるので、より安全性を高めることができる。
【００２９】
図５は、棚ユニット１００の一例を概略的に示す。ここでは、図１に示す棚ユニット１００とは異なる点を主に説明する。図５に示す固定部材３１０は、留め具３２２、紐状部材３２３、留め具３３２及び紐状部材３３３を有し、固定部材３５０は、留め具３６２、紐状部材３６３、留め具３７２及び紐状部材３７３を有する。
【００３０】
留め具３２２及び留め具３３２は、固定部材３１０をラック４００に固定するための部材である。留め具３２２が、孔３２１と、ラック４００の孔４１２とに挿入され、留め具３３２が、孔３３１と、ラック４００の孔４２２とに挿入されることによって、固定部材３１０がラック４００に対して固定される。
【００３１】
紐状部材３２３の一端は固定部位３２０に固定されており、他端が留め具３２２に固定されている。また、紐状部材３３３の一端は固定部位３２０に固定されており、他端が留め具３３２に固定されている。これにより、留め具３２２及び留め具３３２の管理を容易にできる。
【００３２】
留め具３６２及び留め具３７２は、固定部材３５０をラック４００に固定するための部材である。留め具３６２が、孔３６１と、ラック４００の孔４３２とに挿入され、留め具３７２が、孔３７１と、ラック４００の孔４４２とに挿入されることによって、固定部材３５０がラック４００に対して固定される。
【００３３】
紐状部材３６３の一端は固定部位３６０に固定されており、他端が留め具３６２に固定されている。また、紐状部材３７３の一端は固定部位３７０に固定されており、他端が留め具３７２に固定されている。これにより、留め具３６２及び留め具３７２の管理を容易にできる。
【００３４】
なお、図５では、棚ユニット１００が、留め具３２２及び紐状部材３２３と、留め具３３２及び紐状部材３３３と、留め具３６２及び紐状部材３６３と、留め具３７２及び紐状部材３７３とを有する場合を例示したが、これに限らない。棚ユニット１００は、留め具３２２及び紐状部材３２３と、留め具３３２及び紐状部材３３３と、留め具３６２及び紐状部材３６３と、留め具３７２及び紐状部材３７３とのうち、いずれか一つのみを有してもよく、いずれか二つのみを有してもよく、いずれか三つのみを有してもよい。
【００３５】
図６は、棚ユニット１００の一例を概略的に示す。ここでは、図１に示す棚ユニット１００とは異なる点を主に説明する。図６に示す固定部材３１０は、突起３２４及び突起３３４を有し、固定部材３５０は、突起３６４及び突起３７４を有する。
【００３６】
突起３６４及び突起３７４は、棚部２００が伸長する方向に突出している。ここでいう棚部２００が伸長する方向とは、固定部材３１０及び固定部材３５０と、支持部材２１０及び支持部材２２０とがそれぞれ垂直になった状態で、棚部２００が伸長したときに固定部材３５０が進行する方向であってよい。突起３６４及び突起３７４のそれぞれは、ラック４００の背面側に設けられた孔４３２及び孔４４２のそれぞれに挿入されてよい。例えば、棚ユニット１００がラック４００の内部空間に配置された後、突起３６４及び突起３７４のそれぞれが、孔４３２及び孔４４２のそれぞれに挿入されることによって、固定部材３５０がラック４００に固定される。
【００３７】
突起３２４及び突起３３４は、棚部２００が伸長する方向に突出している。ここでいう棚部２００が伸長する方向とは、固定部材３１０及び固定部材３５０と、支持部材２１０及び支持部材２２０とがそれぞれ垂直になった状態で、棚部２００が伸長したときに固定部材３１０が進行する方向であってよい。突起３２４及び突起３３４のそれぞれは、ラック４００の前面側に設けられた孔４１２及び孔４２２のそれぞれに挿入されてよい。
【００３８】
例えば、ラック４００に固定部材３５０を固定した後、棚部２００を伸長させながら突起３２４及び突起３３４のそれぞれを、ラック４００の孔４１２及び孔４２２のそれぞれに挿入することによって、棚ユニット１００をラック４００に固定することができる。このように、突起３２４及び突起３３４によって、棚部２００を伸長する作業と固定部材３１０をラック４００に固定する作業とを並行して行わせることでき、棚ユニット１００をラック４００に取り付ける作業を効率化できる。
【００３９】
なお、固定部材３５０のラック４００への固定は、突起３６４及び突起３７４によって行われてよいが、これに限らず、固定部材３５０をラック４００に固定できれば、他の形態であってもよい。例えば、固定部材３５０が突起３６４及び突起３７４を有さずに、孔３６１及び孔３７１を介して、ラック４００に固定されてもよい。また、このとき、留め具３６２及び留め具３７２によって固定されてもよい。
【００４０】
突起３２４及び突起３３４は、固定部材３１０の表面に形成されてよい。突起３２４及び突起３３４は、固定部材３１０と一体的に形成されてよい。また、突起３２４及び突起３３４のそれぞれは、孔３２１及び孔３３１のそれぞれに挿入された状態で固定されてもよい。例えば、突起３２４及び突起３３４は、孔３２１及び孔３３１に溶接される。
【００４１】
また、突起３６４及び突起３７４は、固定部材３５０の表面に形成されてよい。突起３６４及び突起３７４は、固定部材３５０と一体的に形成されてよい。また、突起３６４及び突起３７４のそれぞれは、孔３６１及び孔３７１のそれぞれに挿入された状態で固定されてもよい。例えば、突起３６４及び突起３７４は、孔３６１及び孔３７１に溶接される。
【００４２】
なお、図６では、棚ユニット１００が、突起３２４、突起３３４、突起３６４及び突起３７４を有する場合を例示したが、これに限らない。棚ユニット１００は、突起３２４、突起３３４、突起３６４及び突起３７４のうち、いずれか一つのみを有してもよく、いずれか二つのみを有してもよく、いずれか三つのみを有してもよい。
【００４３】
図７は、棚ユニット１００の一例を概略的に示す。ここでは、図１に示す棚ユニット１００とは異なる点を主に説明する。図７に示す固定部材３１０及び固定部材３５０のそれぞれは、スライド部３４０及びスライド部３８０のそれぞれを有する。
【００４４】
固定部材３１０は、スライド部３４０によって長手方向に伸縮可能である。また、固定部材３５０は、スライド部３８０によって長手方向に伸縮可能である。棚ユニット１００が使用状態である場合、固定部材３１０及び固定部材３５０は、支持部材２１０及び支持部材２２０の伸縮方向と垂直な方向に伸縮可能となる。
【００４５】
固定部材３１０及び固定部材３５０がスライド部３４０及びスライド部３８０を有することによって、棚ユニット１００の形状の自由度を高めることができる。例えば、固定部材３１０及び固定部材３５０を収縮させた状態で棚ユニット１００をラック４００の内部空間に移動させ、ラック４００の内部空間で固定部材３１０及び固定部材３５０を伸長させることによってラック４００への固定を可能にできる。
【００４６】
図８は、固定部材３１０の一例を概略的に示す。ここでは、図１に示す固定部材３１０とは異なる点を主に説明する。図８に示す固定部材３１０は、固定部材３１０に対して移動可能な固定部位３２６及び固定部位３３６を有する。
【００４７】
固定部位３２６及び固定部位３３６は、固定部材３１０の長手方向にスライドする。これにより、例えば、固定部位３２６及び固定部位３３６を固定部材３１０の内側方向にスライドさせた状態で、棚ユニット１００をラック４００の内部空間に移動させ、ラック４００の内部空間で固定部位３２６及び固定部位３３６を固定部材３１０の外側方向にスライドさせることによってラック４００への固定を可能にできる。固定部位３２６及び固定部位３３６を固定部材３１０の内側方向にスライドさせることによって、棚ユニット１００の全体の幅を狭めることができ、ラック４００の支柱４１０及び支柱４２０の間を通過させやすくできる。
【００４８】
また、固定部材３１０が、固定部材３１０に対して移動可能な固定部位３２６及び固定部位３３６を有することによって、ラック４００が有する様々な大きさの孔に対応することができる。ラック４００が有する孔の大きさは、ラック４００の種類によって様々である。例えば、１９インチラックの場合、ラックにはＭ５ネジ穴、Ｍ６ネジ穴及び四角穴等が形成されている。図８に示す固定部材３１０によれば、ラック４００が有する孔の大きさに合わせて固定部位３２６及び固定部位３３６を固定部材３１０に対して移動させることによって、ラック４００が有する様々な孔の大きさに合わせて固定位置を調整することができる。例えば、１９インチラックの場合、Ｍ４以下のネジ、ワッシャー及びナットを用いて、固定部材３１０をラック４００に固定してよい。
【００４９】
固定部位３２６及び固定部位３３６は、作業者が固定部材３１０から引き出したり、固定部材３１０に押し込んだりすることによってスライドされてよい。また、固定部位３２６及び固定部位３３６は、半自動的にスライドしてもよい。例えば、固定部材３１０が、固定部位３２６及び固定部位３３６を固定部材３１０の外側方向に押し出す弾性部材と、当該弾性部材による固定部位３２６及び固定部位３３６の押し出しを抑止する爪部材と、当該爪部材による抑止を解除するボタン部材とを備え、ボタン部材の押下に応じて、固定部位３２６及び固定部位３３６を、固定部材３１０の外側方向にスライドさせる。これにより、ラック４００に対する棚ユニット１００の取り付け作業を効率化させることができる。
【００５０】
図９は、固定部材３１０の一例を概略的に示す。ここでは、図１に示す固定部材３１０とは異なる点を主に説明する。図９に示す固定部材３１０は、固定部材３１０に対して移動可能な固定部位３２８及び固定部位３３８を有する。
【００５１】
固定部位３２８及び固定部位３３８は、固定部材３１０に対して回転移動する。固定部位３２８及び固定部位３３８は、固定部材３１０に接する辺を中心軸として回転移動してよい。これにより、例えば、固定部位３２８及び固定部位３３８を固定部材３１０の内側方向に回転移動させた状態で、棚ユニット１００をラック４００の内部空間に移動させ、ラック４００の内部空間で固定部位３２８及び固定部位３３８を固定部材３１０の外側方向に回転移動させることによって、ラック４００への固定を可能にできる。固定部位３２８及び固定部位３３８を固定部材３１０の内側方向に回転移動させることによって、棚ユニット１００の全体の幅を狭めることができ、ラック４００の支柱４１０及び支柱４２０の間を通過させやすくできる。
【００５２】
図１０は、棚ユニット１００の一例を概略的に示す。ここでは、図１に示す棚ユニット１００とは異なる点を主に説明する。図１０に示す棚ユニット１００は、一の支持部材２０１を備える。
【００５３】
支持部材２０１の一端の連結部２０２によって、固定部材３１０が支持部材２０１に対して回転可能に固定される。また、支持部材２０１の他端の連結部２０４によって、固定部材３５０が支持部材２０１に対して回転可能に固定される。支持部材２０１は、スライド部２０６を有する。支持部材２０１は、スライド部２０６によって、支持部材２０１の一端と他端とを結ぶ方向に伸縮可能である。
【００５４】
固定部材３１０及び固定部材３５０を支持部材２０１に対して回転させることによって、固定部材３１０と固定部材３５０とが接触する状態と、固定部材３１０と固定部材３５０とが離間する状態とが切り替わる。固定部材３１０及び固定部材３５０と、支持部材２０１とが垂直になる状態を使用状態と呼ぶ場合がある。また、固定部材３１０と固定部材３５０とが接触する状態を収納状態と呼ぶ場合がある。
【００５５】
図１１は、棚ユニット１００の一例を概略的に示す。ここでは、図１に示す棚ユニット１００とは異なる点を主に説明する。図１１に示す棚ユニット１００は、カバー２１８及びカバー２２８を有する。
【００５６】
カバー２１８は、スライド部２１６を覆ってよく、支持部材２１０に対して摺動可能であってよい。カバー２２８は、スライド部２２６を覆ってよく、支持部材２２０に対して摺動可能であってよい。
【００５７】
カバー２１８及びカバー２２８がスライド部２１６及びスライド部２２６を覆うことによって、通信機器に接続されたケーブル等がスライド部２１６及びスライド部２２６に巻き込まれることを防止できる。また、カバー２１８及びカバー２２８が、通信機器等の物体を支持した状態で、支持部材２１０及び支持部材２２０に対して摺動することによって、支持面に沿った通信機器等の物体の移動を補助することができる。カバー２１８及びカバー２２８は、補助具の一例であってよい。
【００５８】
なお、ここでは、補助具の一例としてカバー２１８及びカバー２２８を挙げたが、これに限らない。補助具は、棚部２００における物体を支持する支持面に沿った物体の移動を補助することができれば、どのようなものであってもよい。例えば、支持部材２１０及び支持部材２２０は、補助具として、物体を支持する支持面にベアリングを有する。また、支持部材２１０及び支持部材２２０は、補助具として、物体を支持する支持面上に形成された、長手方向に延びる突起を有してもよい。
【００５９】
図１２は、棚ユニット１００の一例を概略的に示す。ここでは、図１に示す棚ユニット１００とは異なる点を主に説明する。図１２に示す棚ユニット１００において、支持部材２１０の上面２１１と、支持部材２２０の上面２２１と、固定部材３１０の上面３１１と、固定部材３５０の上面３５１とが同一平面上に配置されている。これにより、棚ユニット１００がラック４００に固定された場合に、通信機器等の物体を、上面２１１、上面２２１、上面３１１及び上面３５１によって支持することができる。交差する支持部材２１０及び支持部材２２０と固定部材３１０及び固定部材３５０とによって通信機器等の物体を支持することにより、安定した支持を実現することができる。
【００６０】
ここで、支持部材２１０は、支持部材２１０に対する固定部材３１０の回転を妨害しないように、段差２１３を有する。また、支持部材２１０は、支持部材２１０に対する固定部材３５０の回転を妨害しないように、段差２１５を有する。また、支持部材２２０は、支持部材２２０に対する固定部材３１０の回転を妨害しないように、段差２２３を有する。また、支持部材２２０は、支持部材２２０に対する固定部材３５０の回転を妨害しないように、段差２２５を有する。これにより、通信機器等の物体を上面２１１、上面２２１、上面３１１及び上面３５１によって支持可能であり、かつ、固定部材３１０及び固定部材３５０のそれぞれを支持部材２１０及び支持部材２２０のそれぞれに対して回転可能である構造を提供できる。
【００６１】
図１３は、棚ユニット１００のラック４００への着脱の流れを概略的に示す。ここでは、収納状態の棚ユニット１００をラック４００に取り付けて使用し、使用終了後に棚ユニット１００をラック４００から取り外すまでの処理の流れを概略的に説明する。各処理は、例えば、ラック４００に収容された通信機器を取り外す作業を行う作業者によって実行される。
【００６２】
ステップ１３０２（ステップをＳと省略して記載する場合がある。）では、棚ユニット１００がラック４００の内部空間に配置される。Ｓ１３０４では、棚ユニット１００の状態が収納状態から使用状態に切り替えられる。
【００６３】
Ｓ１３０６では、固定部位３６０及び固定部位３７０のそれぞれが、ラック４００の孔４３２及び孔４４２のそれぞれに固定される。Ｓ１３０８では、棚部２００が伸長される。Ｓ１３１０では、固定部位３２０及び固定部位３３０のそれぞれが、ラック４００の孔４１２及び孔４２２のそれぞれに固定される。
【００６４】
なお、固定部位３２０及び固定部位３３０が、固定部材３１０の長手方向にスライド可能である場合、固定部位３２０及び固定部位３３０が固定部材３１０の内側方向にスライドされた状態で、棚ユニット１００がラック４００の内部空間に配置され、固定部位３２０及び固定部位３３０が固定部材３１０の外側方向にスライドされた後で、ラック４００に固定されてよい。
【００６５】
また、固定部位３２０及び固定部位３３０が、固定部材３１０に対して回転移動可能である場合、固定部位３２０及び固定部位３３０が固定部材３１０の内側方向に回転移動された状態で、棚ユニット１００がラック４００の内部空間に配置され、固定部位３２０及び固定部位３３０が固定部材３１０の外側方向に回転移動された後で、ラック４００に固定されてよい。
【００６６】
また、固定部位３２０及び固定部位３３０のそれぞれが、突起３２４及び突起３３４のそれぞれを有する場合、Ｓ１３０８における棚部２００の伸長に伴って、突起３２４及び突起３３４が、ラック４００の孔４１２及び孔４２２に挿入されてよい。
【００６７】
Ｓ１３１２で、棚ユニット１００の使用が終了したと判断された場合、Ｓ１３１４に進む。例えば、通信機器の取り外しが完了した場合に、棚ユニット１００の使用が終了したと判断される。
【００６８】
Ｓ１３１４では、固定部位３２０及び固定部位３３０の固定が解除される。Ｓ１３１６では、棚部２００が収縮される。Ｓ１３１８では、固定部位３６０及び固定部位３７０の固定が解除される。Ｓ１３２０では、棚ユニット１００の状態が使用状態から収納状態に切り替えられる。そして、Ｓ１３２２で、棚ユニット１００が搬出されて、処理が終了する。
【００６９】
図１から図１２では、支持部材２０１、支持部材２１０及び支持部材２２０が板形状を有する場合を例示したが、支持部材２０１、支持部材２１０及び支持部材２２０の形状はこれに限らない。支持部材２０１、支持部材２１０及び支持部材２２０は、棒形状及び円柱形状等の形状を有してもよい。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７２】
１００  棚ユニット、２００  棚部、２０１  支持部材、２０２  連結部、２０４  連結部、２０６  スライド部、２１０  支持部材、２１１  上面、２１２  連結部、２１３  段差、２１４  連結部、２１５  段差、２１６  スライド部、２１８  カバー、２２０  支持部材、２２１  上面、２２２  連結部、２２３  段差、２２４  連結部、２２５  段差、２２６  スライド部、２２８  カバー、３１０  固定部材、３１１  上面、３２０  固定部位、３２１  孔、３２２  留め具、３２３  紐状部材、３２４  突起、３２６  固定部位、３２８  固定部位、３３０  固定部位、３３１  孔、３３２  留め具、３３３  紐状部材、３３４  突起、３３６  固定部位、３３８  固定部位、３４０  スライド部、３５０  固定部材、３５１  上面、３６０  固定部位、３６１  孔、３６２  留め具、３６３  紐状部材、３６４  突起、３７０  固定部位、３７１  孔、３７２  留め具、３７３  紐状部材、３７４  突起、３８０  スライド部、４００  ラック、４１０  支柱、４１２  孔、４２０  支柱、４２２  孔、４３０  支柱、４３２  孔、４４０  支柱、４４２  孔
【要約】
【課題】ラックの任意の段に棚を追加したり、例えばラックから通信機器を取り外す際に通信機器を支持できる棚を一時的に追加したりすることを容易に行えることが望ましい。
【解決手段】ラックに着脱可能な棚ユニットであって、棚部と、棚部の一端に、棚部に対して回転可能に固定され、ラックの第１の面側に固定される第１固定部材と、棚部の他端に、棚部に対して回転可能に固定され、ラックの第１の面に対向する第２の面側に固定される第２固定部材とを備える、棚ユニットを提供する。
【選択図】図１【図１】
0005750554.tif 000002
【図２】
0005750554.tif 000003
【図３】
0005750554.tif 000004
【図４】
0005750554.tif 000005
【図５】
0005750554.tif 000006
【図６】
0005750554.tif 000007
【図７】
0005750554.tif 000008
【図８】
0005750554.tif 000009
【図９】
0005750554.tif 000010
【図１０】
0005750554.tif 000011
【図１１】
0005750554.tif 000012
【図１２】
0005750554.tif 000013
【図１３】
0005750554.tif 000014